(57)【要約】【課題】  分注容器に分注された尿を、後検査で患者の取り違え、蓄尿条件等の誤診が無いように判定できるように構成した採尿蓄量比重測定装置を提供する。【解決手段】  採尿蓄量比重測定装置１００は、尿の素性に関するデータの記憶を行うためのデータ記憶手段１５６と、データ記憶手段１５６が記憶している尿の素性に関するデータを受け入れて、バーコードプリンタの動作を制御するためのバーコードプリンタ制御手段２４２と、バーコードプリンタ制御手段２４２が出力する信号により作動して、尿の素性に関するデータを記載したバーコードラベルを発行することができるように設けられたバーコードプリンタ２４４とを備える。この構成により、尿を収容した分注容器に尿の素性に関するデータを記載したバーコードラベルを添付することができる。【選択図】      図１
2006038736.tif 000002
【特許請求の範囲】
【請求項１】
採尿容器に収容された尿をサンプリングして分注容器に注入する尿サンプリング機構を有する採尿蓄量比重測定装置において、
患者に関する情報、尿測定に関する情報を含む尿の素性に関するデータの記憶を行うためのデータ記憶手段（１５６）と、
前記データ記憶手段（１５６）が記憶している前記尿の素性に関するデータを受け入れて、バーコードプリンタの動作を制御するためのバーコードプリンタ制御手段（２４２）と、
前記バーコードプリンタ制御手段（２４２）が出力する信号により作動して、前記尿の素性に関するデータを記載したバーコードラベルを発行することができるように設けられたバーコードプリンタ（２４４）とを備え、
それによって、尿を収容した分注容器に尿の素性に関するデータを記載したバーコードラベルを添付することができるように構成した、
ことを特徴とする採尿蓄量比重測定装置。
【請求項２】
測定したデータを外部システムに送信するための送信用インターフェースと、外部システムからデータを受信するための受信用インターフェースとを備えることを特徴とする、請求項１に記載の採尿蓄量比重測定装置。
【請求項３】
分注容器は、サンプリングした尿を受け入れることができるように構成された複数のスピッツ（１９４）で構成され、それによって、バーコードラベルを複数のスピッツにそれぞれ添付することができるように構成したことを特徴とする、請求項１に記載の採尿蓄量比重測定装置。
【発明の詳細な説明】
【技術分野】
【０００１】
本発明は、病院などの医療施設に設けられる尿測定装置に関する。特に、本発明は、採取尿の取り違えを低減することができるように構成された採尿蓄量比重測定装置のような尿測定装置に関する。
【背景技術】
【０００２】
蓄尿検査は、患者の水分の代謝の観察のための手段として、又は、尿中成分の定量検査を行うための手段として用いられている。最近、入院患者の蓄尿検査を行うために、各病室に採尿蓄量比重測定装置を設置し、これらの採尿蓄量比重測定装置をネットワークで結び、ナースステーションに設置した管理システムで蓄尿指示を行えるようになっている。また、従来の採尿蓄量比重測定装置には、各装置メーカーが指定した分注容器が用いられ、看護師はこの容器から、病院内の検体採取用のスピッツ等に移し替える作業を行っていた。近年、採尿蓄量比重測定装置の分注容器にスピッツを用いることが可能になってきた。
【０００３】
従来の使用済みハルンカップ処理装置付き尿自動分注装置は、ハルンカップ移送部と、ラック移送部と、バーコード読取部と、ラベル貼着部と、検体分注・廃液部と、カップ排出部とを備える。患者名、患者属性、検査番号、検査に必要なスピッツの数等の被験者に関する情報を２次元バーコード化して印字したラベルがハルンカップに貼り付けられている。バーコード読取部は、ハルンカップに貼り付けられたラベルの情報を読み取る。ラベル貼着部は、バーコードリーダで読み取った情報に基づいて、被験者に関する情報をラベルに印字する。被験者に関する情報を印字したラベルはスピッツの表面に貼り付けられる（例えば、特許文献１参照）。
【０００４】
また、従来の尿測定装置は、尿受け槽と、尿受け槽細径部と、尿受け槽細径部に接続された導管と、サンプリングボトル切り替え機とを備える。導管は屈折率計に接続される。尿の温度を測定するための温度センサが尿受け槽細径部に設けられる。屈折率計が出力する信号と、温度センサが出力する信号を用いて、屈折率と比重と温度の関係式により、尿の比重値を演算する。圧力センサは、尿受け槽及び尿受け槽細径部に流入した尿により発生する圧力を測定して、この圧力に関する検出信号を出力する。屈折率計が出力する信号と、温度センサが出力する信号を用いて、屈折率と比重と温度の関係式により、尿の比重値を演算する（例えば、特許文献２参照）。
【０００５】
また、従来の尿検査装置は、尿を投入する尿投入槽と、ノズル回転モータとノズル上下モータにより移動可能な分注ノズルで尿投入槽に投入された尿を尿カセットに分注する分注部とを備える。尿カセットから検査用容器のスピッツ管に尿を移し替えることができる。患者は自分のＩＤカードを装置に差し込み、患者確認を行う。患者が尿を尿投入槽に投入した後、蓋が閉じ、尿量がレベルセンサで計測され、尿比重が比重センサで計測される（例えば、特許文献３参照）。
【０００６】
【特許文献１】特開平１０−１４２２３６号公報（第３〜５頁、図１〜図５）
【特許文献２】特開２００１−２７５６３号公報（第５〜８頁、図１〜図５）
【特許文献３】特開２００１−３０５１３３号公報（第３〜５頁、図１〜図４）
【発明の開示】
【発明が解決しようとする課題】
【０００７】
従来、検査に用いる尿を分注容器に入れ、看護師が患者ＩＤ、患者氏名、蓄尿方法、防腐剤の有無等を分注容器に記載し、その分注容器を検査室に送っていた。この方法では、必要項目の記入ミスや、患者の取り違え等の人的要因により医療事故につながる可能性がある。看護師が分注容器を取りに行くためには、必ず採尿蓄量比重測定装置の元へ行かねばならず、その採尿蓄量比重測定装置で採取した尿の情報（患者ＩＤ、患者氏名、蓄尿方法、防腐剤の有無等）は採尿蓄量比重測定装置にデータとして存在している。この為、この情報をバーコード等の病院標準のインターフェイスで、分注容器に表示できれば、医療事故を未然に防ぐことが可能になる。また、蓄尿の項目には、２４時間蓄尿、早朝尿蓄尿、防腐剤の有無等、検査項目によって検査室に申し送りしなくてはならない項目が複数存在している。
【０００８】
本発明の目的は、分注容器に分注された尿を、後検査で患者の取り違え、蓄尿条件等の誤診が無いように判定できるように構成した採尿蓄量比重測定装置を提供することにある。また、本発明の他の目的は、分注容器に採取された尿の識別を間違えることにより生じる医療事故を未然に防ぐことである。
【課題を解決するための手段】
【０００９】
本発明は、採尿容器に収容された尿をサンプリングして分注容器に注入する尿サンプリング機構を有する採尿蓄量比重測定装置において、分注容器に採取された尿の素性（患者ＩＤ、患者氏名、蓄尿期間、防腐剤の有無、蓄尿方法  等）を記載したバーコードラベルを採尿蓄量比重測定装置で発行できるようにした。すなわち、本発明では、採尿容器に収容された尿をサンプリングして分注容器に注入する尿サンプリング機構を備え、かつ識別子（たとえばバーコードラベル、ＩＣタグ等）を発行する手段を有する採尿蓄量比重測定装置において、採尿容器を取り出した際に、自動的に、若しくは、スイッチなどを操作してマニュアルで識別子が発行されるようにしている。
【００１０】
本発明は、採尿容器に収容された尿をサンプリングして分注容器に注入する尿サンプリング機構を有する採尿蓄量比重測定装置において、患者に関する情報、尿測定に関する情報を含む尿の素性に関するデータの記憶を行うためのデータ記憶手段と、データ記憶手段が記憶している尿の素性に関するデータを受け入れて、バーコードプリンタの動作を制御するためのバーコードプリンタ制御手段と、バーコードプリンタ制御手段が出力する信号により作動して、尿の素性に関するデータを記載したバーコードラベルを発行することができるように設けられたバーコードプリンタとを備え、それによって、尿の素性に関するデータを記載したバーコードラベルを尿を収容した分注容器に添付することができるように構成したことを特徴とする。この構成により、バーコードプリンタが発行した識別子（バーコードラベルなど）を分注容器（スピッツなど）に貼り付けることができるので、医療事故を未然に防ぐことができる。
【００１１】
本発明の採尿蓄量比重測定装置は、測定したデータを外部システムに送信するための送信用インターフェースと、外部システムからデータを受信するための受信用インターフェースとを備えるのが好ましい。
また、本発明の採尿蓄量比重測定装置は、サンプリングした尿を受け入れることができるように構成された複数のスピッツで構成されるのが好ましい。この構成では、バーコードラベルを前記複数のスピッツにそれぞれ添付することができる。したがって、この構成により、バーコードプリンタが発行した識別子を複数のスピッツなどの分注容器に貼り付けることができる。
【発明の効果】
【００１２】
本発明の採尿蓄量比重測定装置を用いると、分注容器に患者、蓄尿方法の識別を行わせるための識別子を採尿蓄量比重測定装置で発行することができ、発行した識別子を分注容器に貼り付けることができるので、医療事故を未然に防ぐことができる。すなわち、本発明の採尿蓄量比重測定装置を用いることによって、分注容器に分注された尿を、後検査で患者の取り違え、蓄尿条件等の誤診が無いように判定することができる。
【発明を実施するための最良の形態】
【００１３】
以下に、本発明の実施の形態について添付図面を参照して説明する。
（１）採尿蓄量比重測定装置の構造
図１および図２を参照すると、本発明の採尿蓄量比重測定装置（尿測定装置）１００は、採尿カップ２２０に入れられた測定すべき尿を受け入れるための尿受け槽１０１を有する。投入口扉２２４がの側面又は上面に開閉可能に設けられる。尿受け槽細径部１０８が尿受け槽１０１の底部１０１ｂに設けられる。尿受け槽１０１と尿受け槽細径部１０８とは連通している。尿受け槽細径部１０８は、収容されている尿の量が少ないときに大きな水頭圧が得られるような内径を有する。尿の温度を測定するための温度センサ１１４が尿受け槽細径部１０８に設けられる。導管１０５の一端が尿受け槽細径部１０８の底部１０８ｂに接続される。導管１０５の他の一端が屈折率計１０３に接続される。導管１０５が屈折率計１０３に接続される。屈折率計１０３を配置する位置は、尿受け槽１０１を配置した位置より低くなるように構成される。
【００１４】
尿の排出、尿の収容を切り替えるための尿排出制御バルブすなわちピンチバルブ１０２が導管１０６に設けられる。ピンチバルブ１０２を閉制御することにより、尿は尿受け槽細径部１０８に導入され、尿受け槽細径部１０８に貯えられる。尿が尿受け槽細径部１０８を満たすと、尿は尿受け槽１０１に貯えられる。ピンチバルブ１０２を開制御し、続いて、ピンチバルブ１０２を閉制御することにより、屈折率計１０３に尿が導入される。屈折率計１０３が出力する信号と、温度センサ１１４が出力する信号を用いて、屈折率と比重と温度の関係式により、尿の比重値を演算することができる。尿受け槽細径部１０８、屈折率計１０３、温度センサ１１４は、尿比重測定ブロック２６２を構成している。導管１０６はゴム管等で形成される。導管１０６は、ピンチバルブ１０２の突出ピンを押圧すると閉状態になり、突出ピンを引っ込めると開通状態になる。尿受け槽１０１及び尿受け槽細径部１０８の中に収容されている尿は、ピンチバルブ１０２を開くことによって、導管１０５を通って屈折率計１０３の中に導入され、さらに、導管１０６を通って排液タンク１０４の中に自由落下するように構成されている。排液タンク１０４の中の液面の上限の位置を検出するためのフロートスイッチ１１５が排液タンク１０４の中に設けられる。
【００１５】
空気貯まり用パイプ１３６が尿受け槽細径部１０８の底部１０８ｂに接続される。空気貯まり用パイプ１３６の下端は、の底部１０８ｂに連通し、空気貯まり用パイプ１３６の上端は、尿受け槽細径部１０８の底部１０８ｂより高い位置になるように配置されている。尿受け槽１０１及び尿受け槽細径部１０８に流入した尿により発生する圧力を測定するための圧力センサ１０７が、空気貯まり用パイプ１３６の上端に設けられる。圧力センサ１０７は、空気貯まりパイプ１３６内に滞留する空気を介して、尿受け槽１０１内の尿の液面を検出する。圧力センサ１０７は、尿受け槽１０１及び尿受け槽細径部１０８に流入した尿により発生する圧力を測定して、この圧力に関する検出信号を出力する。
【００１６】
圧力センサ１０７は、例えば、アンプ内蔵のトランスヂューサであり、日本データ・インスツルメンツ社から「ＭＯＤＥＬ  ＸＣＡ」として入手することができる。ここで、尿の比重値によって、同じ量の尿量であっても、圧力センサ１０７で検出される圧力の値が異なることが考えられるけれども、屈折率計１０３で測定される尿の比重値に対する補正値を尿量に加味することによりり、比重値が異なることによる尿量の差異を補正することができる。
【００１７】
傘状整流器１１６が尿受け槽１０１の内部に設けられる。傘状整流器１１６は、尿が尿受け槽１０１に投入されたときに、気泡が空気貯まりパイプ１３６内に入り込むのを阻止するために設けられる。傘状整流器１１６により、投入された尿が尿受け槽１０１の壁面を沿って流れ込み、空気貯まりパイプ１３６内の空気を尿でスムーズに置換することができる。ピンチバルブ１０２を閉制御し、導管１０６を閉じ、圧力センサ１０７により、尿受け槽１０１及び尿受け槽細径部１０８に収容されている尿の水頭圧を測定することができる。
【００１８】
尿受け槽１０１に入れられた尿量が、尿受け槽細径部１０８の内容積よりも少ない場合には、尿受け槽細径部１０８の断面積（Ａ）は一定であるので、圧力センサ１０７からの出力信号の絶対値（Ｐ）を計測することにより、水頭高さｈは、以下に示す式１により計算することができる。
Ｐ＝ρ＊ｈ        ……（式１）
ここに、Ｐは圧力であり、ρは比重であり、ｈは水頭高さである。式１における比重ρは、屈折率計１０３により測定される。水頭高さｈと尿受け槽細径部１０８の断面積Ａとを用いて、尿受け槽細径部１０８に収容されている尿量Ｖ１を測定することができる。尿受け槽１０１に入れられた尿量が、尿受け槽細径部１０８の内容積よりも多い場合には、ピンチバルブ１０２を開制御する。すると、尿受け槽１０１に入れられた尿は導管１０５から屈折率計１０３を通り排液タンク１０４の中に流れる。すると、尿受け槽１０１及び尿受け槽細径部１０８に収容されている尿量に対応した圧力が圧力センサ１０７により検出される。尿受け槽細径部１０８、圧力センサ１０７は尿量測定ブロック２６０を構成している。
【００１９】
流量Ｑは、尿受け槽１０１の形状、特に、高さによって変化する。尿受け槽１０１の形状による流量Ｑの変化を補正するために、信号継続時間Ｔに対応した補正値を演算処理の過程において加味することにより、流量Ｑの誤差を排除して、正確に尿受け槽１０１内の尿量Ｖ２を算出することができる。このようにして演算した尿量Ｖ２に、尿受け槽細径部１０８の内容積Ｖ３を加算することによって、尿受け槽１０１に入れられた尿量Ｖ４を求めることができる。そして、ピンチバルブ１０２を開制御し、続いて、ピンチバルブ１０２を閉制御することにより、屈折率計１０３に尿が導入される。屈折率計１０３が出力する信号と、温度センサ１１４が出力する信号を用いて、屈折率と比重と温度の関係式により、尿の比重値を演算することができる。
【００２０】
尿受け槽細径部１０８に収容されている尿の一部分を採取するための導管１０９の一端が尿受け槽細径部１０８の底部１０８ｂに接続される。導管１０９の他の一端に分注ノズル１８４が接続される。採取用の尿の排出、尿の収容を切り替えるための尿採取制御バルブすなわちピンチバルブ１１０が導管１０９に設けられる。ピンチバルブ１０９を閉制御することにより、尿は尿受け槽細径部１０８から排出される。導管１０９はゴム管等で形成される。導管１０９は、ピンチバルブ１１０の突出ピンを押圧すると閉状態になり、突出ピンを引っ込めると開通状態になる。受け槽細径部１０８の中に収容されている尿は、ピンチバルブ１１０を開くことによって、導管１０９を通って分注ノズル１８４の中に導入されるように構成される。分注ノズル１８４は、複数個配列された採尿ボトル１１１の上部を移動される。分注ノズル駆動モータ１８２が分注ノズル１８４を移動させる分注ノズル移動機構を作動させるために設けられる。分注ノズル移動機構は、例えば、分注ノズル駆動モータ１８２が回転することにより回転する歯車（又は、歯車列）と、ピニオン及びラックと、水平方向に直線移動移動可能なように設けられた分注ノズル保持部材などで構成することができる。サンプル採取に適当な採尿ボトル１１１が、分注ノズル移動機構を作動させることによって選択制御されるように構成される。分注ノズル１８４により、必要なサンプルを採取する。分注排出容器１８８が採尿ボトル１１１の脇に設けられる。排液タンク１０４の底部は導管１３１を介して排液タンク１３２に連結される。外部排出制御バルブ１３５が導管１３１に設けられる。分注排出容器１８８の底部は導管１３３を介して排液タンク１３２に連結される。排液タンク１３２の底部は導管を介して排出口１３９に連結される。
【００２１】
本発明の採尿蓄量比重測定装置１００は、尿受け槽１０１、尿受け槽細径部１０８、導管１０９、分注ノズル１８４は、この順序で、高い位置から低い位置になるように配置される。この構成により、圧力センサ１０７が出力する圧力に関する信号に基づいて、ピンチバルブ１１０を開閉制御して、尿受け槽１０１、尿受け槽細径部１０８に収容されている尿を分注ノズル１８４の中に供給し、それによって、尿を採取することができる。図１には、一例として、５個の採尿ボトル１１１を示すが、採尿ボトル１１１の数は、１個であってもよいし、２個以上であってもよい。採尿ボトル１１１への尿の採取は、尿受け槽細径部１０８内に残っている尿量について圧力センサ１０７が出力する圧力に関する信号の絶対値を監視しながら、ピンチバルブ１１０を開閉制御することによって、精度良く行うことができる。
【００２２】
採尿蓄量比重測定装置１００の内部の洗浄は、水道水などの洗浄水を用いて行うことができる。桶洗浄ポンプ２１０が洗浄液槽１２０と尿受け槽１０１の下方部分とを連結する配管に設けられる。カップ洗浄ポンプ２１２が洗浄液槽１２０と尿受け槽１０１の上方部分とを連結する配管に設けられる。水道水等の洗浄水が給水口２１４より電磁弁１１７を介して尿受け槽１０１に供給される。洗浄液が洗浄液槽１２０に収容されている。洗浄液の主成分は、例えば、次亜塩素酸ナトリウムである。採尿蓄量比重測定装置１００の内部を洗浄するときには、電磁弁１１７を開き、洗浄水を尿受け槽１０１に連結された配管に供給する。桶洗浄ポンプ２１０は、洗浄液槽１２０からの洗浄剤を洗浄水に混入させる。桶洗浄ポンプ２１０を作動させないで、電磁弁１１７を開くことにより、洗浄水だけで尿受け槽１０１の内部を洗浄することができる。分注ノズル１８４を洗浄するための分注ノズル洗浄用ノズル（図示せず）が分注排出容器１８８に設けられる。電磁弁１１７を通過した洗浄水の一部分は、配管（図示せず）を介して分注ノズル洗浄用ノズルに供給することができる。尿受け槽洗浄用ノズル（図示せず）を尿受け槽１０１の上方に設けることができる。尿受け槽洗浄用ノズルから噴射水を尿受け槽１０１の壁面を沿って上方から下方に向かってスパイラル状に流出させることができる。
【００２３】
第１の採尿ボトル１１１ａの内容物を第１のスピッツノズル１９１ａに供給するための１番スピッツ配管の途中に１番スピッツポンプ１９０ａが設けられる。１番スピッツポンプ１９０ａを作動させることによって、第１の採尿ボトル１１１ａの内容物は、１番スピッツ配管、第１のスピッツノズル１９１ａを介して第１のスピッツ１９４ａの中に供給することができるように構成される。第２の採尿ボトル１１１ｂの内容物を第２のスピッツノズル１９１ｂに供給するための２番スピッツ配管の途中に２番スピッツポンプ１９０ｂが設けられる。２番スピッツポンプ１９０ｂを作動させることによって、第２の採尿ボトル１１１ｂの内容物は、２番スピッツ配管、第２のスピッツノズル１９１ｂを介して第２のスピッツ１９４ｂの中に供給することができるように構成される。第３の採尿ボトル１１１ｃの内容物を第３のスピッツノズル１９１ｃに供給するための３番スピッツ配管の途中に３番スピッツポンプ１９０ｃが設けられる。３番スピッツポンプ１９０ｃを作動させることによって、第３の採尿ボトル１１１ｃの内容物は、３番スピッツ配管、第３のスピッツノズル１９１ｃを介して第３のスピッツ１９４ｃの中に供給することができるように構成される。
【００２４】
第４の採尿ボトル１１１ｄの内容物を第４のスピッツノズル１９１ｄに供給するための４番スピッツ配管の途中に４番スピッツポンプ１９０ｄが設けられる。４番スピッツポンプ１９０ｄを作動させることによって、第４の採尿ボトル１１１ｄの内容物は、４番スピッツ配管、第４のスピッツノズル１９１ｄを介して第４のスピッツ１９４ｄの中に供給することができるように構成される。第５の採尿ボトル１１１ｅの内容物を第５のスピッツノズル１９１ｅに供給するための５番スピッツ配管の途中に５番スピッツポンプ１９０ｅが設けられる。５番スピッツポンプ１９０ｅを作動させることによって、第５の採尿ボトル１１１ｅの内容物は、５番スピッツ配管、第５のスピッツノズル１９１ｅを介して第５のスピッツ１９４ｅの中に供給することができるように構成される。１番スピッツポンプ１９０ａ、２番スピッツポンプ１９０ｂ、３番スピッツポンプ１９０ｃ、４番スピッツポンプ１９０ｄ、５番スピッツポンプ１９０ｅは、どのようなタイプのポンプであっても良いが、自給式ポンプであるのが好ましい。或いは、スピッツポンプを用いる代りに、ピンチバルブを用いて、採尿ボトルの内容物をスピッツノズルに自然落下させることができる。或いは、スピッツポンプを用いる代りに、閉止弁を用いて、採尿ボトルの内容物をスピッツノズルに供給することができる。
【００２５】
スピッツノズル駆動モータ１９２がスピッツノズル１９１を移動させるスピッツノズル移動機構を作動させるために設けられる。スピッツノズル移動機構は、例えば、スピッツノズル駆動モータ１９２が回転することにより回転する歯車（又は、歯車列）と、ピニオン及びラックと、水平方向に直線移動移動可能なように設けられたスピッツノズル保持部材などで構成することができる。スピッツノズル移動機構を作動させることによって、スピッツ１９４はスピッツ排出パイプ１９６の上に移動することができるように構成される。図１には、一例として、５個のスピッツポンプを示すが、スピッツポンプの数は、１個であってもよいし、２個以上であってもよい。また、図１には、一例として、５個のスピッツノズルを示すが、スピッツノズルの数は、１個であってもよいし、２個以上であってもよい。この場合、スピッツノズルの数は、スピッツポンプの数に対応するように定められる。
【００２６】
（２）中央演算装置の構成
図２および図１０を参照すると、本発明の採尿蓄量比重測定装置１００は中央演算装置１８０を備える。中央演算装置１８０は、採尿蓄量比重測定装置１００の作動を制御するための作動制御手段１４０を含む。中央演算装置１８０は、更に、作動制御手段が出力する作動信号を受け入れて、尿排出制御バルブすなわちピンチバルブ１０２を開閉制御するための尿排出制御バルブ駆動手段１４２と、作動制御手段が出力する作動信号を受け入れて、尿採取制御バルブすなわちピンチバルブ１１０を開閉制御するための尿採取制御バルブ駆動手段１４４と、作動制御手段が出力する作動信号を受け入れて、圧力センサ１０７から出力信号を入力して、圧力センサ１０７が検出した圧力の値を演算するための圧力値演算手段１４６と、尿が尿受け槽細径部１０８の内部全体に収容されているときに圧力センサ１０７から出力される出力信号に対応する圧力基準値を記憶している圧力基準値記憶手段１４８とを含む。
【００２７】
中央演算装置１８０は、更に、圧力値演算手段１４６が出力する圧力値の演算結果と、圧力基準値記憶手段１４８が記憶している圧力基準値とを比較し、投入された尿量が、尿受け槽細径部１０８の内容積より大きいか、或いは、尿受け槽細径部１０８の内容積より小さいかを判定するための圧力比較手段１５０と、圧力値の演算結果に基づいて、投入尿量を演算するための尿量演算手段１５２と、データの入出力を制御するためのデータ入出力制御手段１５４と、データ入出力制御手段１５４が出力する患者に関する情報に関する信号を受け入れて、患者に関する情報、尿測定に関する情報を含む尿の素性に関するデータの記憶を行うためのデータ記憶手段１５６と、ピンチバルブ１０２を開制御してからピンチバルブ１０２を閉制御するまでの時間、すなわち、信号継続時間Ｔを計測するための圧力センサ出力信号計時手段１６０とを含む。中央演算装置１８０は、更に、作動制御手段が出力する作動信号を受け入れて、屈折率計１０３からの出力信号と、温度センサ１１４からの出力信号とに基づいて、予め記憶している屈折率、温度、比重の関係式を用いて尿の比重値をするための尿比重値演算手段１６２と、作動制御手段が出力する作動信号を受け入れて、電磁弁１１７を開閉制御するための電磁弁駆動手段１６４と、作動制御手段が出力する作動信号を受け入れて、分注ノズル駆動モータ１８２の作動を制御するための分注ノズル駆動モータ制御手段１６６と、作動制御手段が出力する作動信号を受け入れて、桶洗浄ポンプ２１０の作動を制御するための桶洗浄ポンプ駆動手段２５０と、作動制御手段が出力する作動信号を受け入れて、カップ洗浄ポンプ２１２の作動を制御するためのカップ洗浄ポンプ駆動手段２５２とを含む。
【００２８】
中央演算装置１８０は、更に、作動制御手段が出力する作動信号を受け入れて、投入口開閉モータ２２２の作動を制御するための投入口開閉モータ駆動手段２３２と、作動制御手段が出力する作動信号を受け入れて、外部排出制御バルブ１３５を開閉制御するための外部排出制御バルブ駆動手段２３４と、作動制御手段が出力する作動信号を受け入れて、スピッツポンプ１９０の作動を制御するためのスピッツポンプ駆動手段２３６と、作動制御手段が出力する作動信号を受け入れて、スピッツノズル駆動モータ１９２の作動を制御するためのスピッツノズル駆動モータ制御手段２３８とを含む。中央演算装置１８０は、更に、作動制御手段が出力する作動信号を受け入れて、データ記憶手段１５６が記憶している患者に関する情報を受け入れて、バーコードプリンタの動作を制御するためのバーコードプリンタ制御手段２４２とを含む。バーコードプリンタ２４４が、バーコードプリンタ制御手段２４２が出力する信号により作動することができるように設けられる。
【００２９】
本発明の採尿蓄量比重測定装置１００では、作動制御手段１４０、尿排出制御バルブ駆動手段１４２、尿採取制御バルブ駆動手段１４４、圧力値演算手段１４６、圧力比較手段１５０、尿量演算手段１５２、データ入出力制御手段１５４、圧力センサ出力信号計時手段１６０、尿比重値演算手段１６２、電磁弁駆動手段１６４、分注ノズル駆動モータ制御手段１６６、投入口開閉モータ駆動手段２２２、外部排出制御バルブ駆動手段２３４、スピッツポンプ駆動手段２３６、スピッツノズル駆動モータ制御手段２３８、バーコードプリンタ制御手段２４２、桶洗浄ポンプ駆動手段２５０、カップ洗浄ポンプ駆動手段２５２は、それぞれの処理内容をプログラミングしたソフトウェアとして、中央演算装置１８０にインストールすることができる。また、本発明の採尿蓄量比重測定装置１００では、圧力基準値記憶手段１４８、データ記憶手段１５６は、磁気テープ、磁気ディスク、光ディスク、ＲＡＭなどで構成することができる。
【００３０】
（３）採尿蓄量比重測定装置の作動
次に、本発明の採尿蓄量比重測定装置１００の作動について説明する。図２から図７および図１０を参照すると、採尿蓄量比重測定装置１００の作動の制御は、図２および図１０に示す中央演算装置１８０に内蔵されたソフトウエアによって制御される。採尿蓄量比重測定装置１００は中央演算装置１８０を備え、操作スイッチ１７０を作動させることにより作動するように構成されている。図１０に示すように、尿排出制御バルブすなわちピンチバルブ１０２、尿採取制御バルブすなわちピンチバルブ１１０、電磁弁１１７、外部排出制御バルブ１３５、分注ノズル駆動モータ１８２、スピッツポンプ１９０、スピッツノズル駆動モータ１９２、桶洗浄ポンプ２１０、カップ洗浄ポンプ２１２、バーコードプリンタ２４４は、中央演算装置１８０からの制御信号により制御されるように構成されている。圧力センサ１０７、温度センサ１１４、屈折率計１０３、操作スイッチ１７０からの信号が、中央演算装置１８０に与えられる。患者が排泄した尿を採尿蓄量比重測定装置１００に流入させるとき、操作スイッチ１７０を操作して、投入口開閉モータ駆動手段２２２が投入口開閉モータ２２２を作動させて投入口扉２２４を開けることができる。
【００３１】
図３及び図１０を参照すると、採尿蓄量比重測定装置１００を作動させるときには、最初に、操作スイッチ１７０を作動させ、作動制御手段１４０が出力する初期値設定信号により、採尿蓄量比重測定装置１００を初期状態に設定する。すなわち、作動制御手段１４０が出力する初期値設定信号により、尿排出制御バルブ駆動手段１４２が尿排出制御バルブすなわちピンチバルブ１０２を閉制御し、尿採取制御バルブ駆動手段１４４が尿採取制御バルブすなわちピンチバルブ１１０を閉制御する（ステップ３０１）。尿受け槽１０１の投入口扉２２４が開く（ステップ３０２）。患者が尿を尿受け槽１０１に入れる（ステップ３０３）。このとき、患者は自分の氏名が記載されているスイッチを押す。或いは、患者は自分の患者番号などを入力することもできる。尿受け槽１０１の投入口扉２２４が閉まる（ステップ３０４）。圧力センサ１０７から信号が出力される（ステップ３０５）。圧力センサ１０７から出力される信号が安定するまで待つ（ステップ３０６）。
【００３２】
次に、図４及び図１０を参照すると、圧力値演算手段１４６が圧力センサ１０７から出力信号を入力して、圧力センサ１０７が検出した圧力の値を演算する。圧力基準値記憶手段１４８は、尿が尿受け槽細径部１０８の内部全体に収容されているときに圧力センサ１０７から出力される出力信号に対応する圧力基準値を記憶している。圧力比較手段１５０は、圧力値演算手段１４６が出力する圧力値の演算結果と、圧力基準値記憶手段１４８が記憶している圧力基準値とを比較し、投入された尿量が、尿受け槽細径部１０８の内容積より大きいか、或いは、尿受け槽細径部１０８の内容積より小さいかを判定する。投入された尿量が尿受け槽細径部１０８の内容積より小さい場合には、尿量演算手段１５２は、圧力値の演算結果に基づいて、投入尿量を演算する（ステップ３０７）。投入尿量の演算結果は、データ入出力制御手段１５４により、データ記憶手段１５６に記憶される。投入された尿量が尿受け槽細径部１０８の内容積より小さい場合には、ステップ３１２へ進む。
【００３３】
ここで、図８は、本発明の採尿蓄量比重測定装置の実施の形態の作動において、圧力センサからの信号がスレッシュホールド電圧より低いときの信号を示す図である。図８を参照すると、圧力センサ１０７からの信号（Ｖ）が、尿受け槽細径部１０８の内容積が満水時の圧力センサ１０７からの信号（ＴＶ）より低い場合には、総投入尿量は、圧力センサ１０７からの信号（Ｖ）に係数（Ｋ）を掛けることによって求められる。
すなわち、
総投入尿量＝圧力センサ１０７からの信号（Ｖ）＊係数（Ｋ）
である。
【００３４】
投入された尿量が尿受け槽細径部１０８の内容積より大きい場合には、ステップ３０８へ進む。尿排出制御バルブ駆動手段１４２は、尿排出制御バルブすなわちピンチバルブ１０２を開制御する（ステップ３０８）。尿は導管１０５から屈折率計１０３を通って排液タンク１０４の中に流れる。尿受け槽１０１、尿受け槽細径部１０８に収容されている尿量の水頭圧に対応する信号が圧力センサ１０７により検出される（ステップ３０９）。ピンチバルブ１０２を開制御してから、圧力センサ１０７が検出する圧力の絶対値が、尿受け槽細径部１０８を水で満たしたときに圧力センサ１０７が検出する圧力の絶対値と等しくなったとき、尿排出制御バルブ駆動手段１４２は、尿排出制御バルブすなわちピンチバルブ１０２を閉制御する（ステップ３１０）。この場合、尿受け槽細径部１０８を水で満たしたときに圧力センサ１０７が検出する圧力の絶対値は、予め、圧力基準値記憶手段１４８に記憶されている。
【００３５】
そして、圧力センサ出力信号計時手段１６０が、ピンチバルブ１０２を開制御してからピンチバルブ１０２を閉制御するまでの時間、すなわち、信号継続時間（Ｔ）を計測する。信号継続時間（Ｔ）を計測することにより、尿受け槽１０１内の尿量（Ｖ２）を、前述した式２、すなわち、Ｖ２＝Ｑ＊Ｔにより計算する。尿量演算手段１５２は式２を記憶している。式２を用いて演算された尿量Ｖ２に、尿受け槽細径部１０８の内容積を加算して、投入された尿量を演算する（ステップ３１１）。
【００３６】
、図９は、本発明の採尿蓄量比重測定装置の実施の形態の作動において、圧力センサからの信号がスレッシュホールド電圧より高いときの信号を示す図である。図９を参照すると、圧力センサ１０７からの信号（Ｖ）が、尿受け槽細径部１０８の内容積が満水時の圧力センサ１０７からの信号（ＴＶ）より高い場合には、ピンチバルブ１０２を開制御したときからピンチバルブ１０２を閉制御したときまでの時間（Ｔ）を測定する。
そして、このときの流出量は、
流出量＝開口面積（一定）＊時間（Ｔ）＊係数（Ｋ２）
によって求められる。
総投入尿量は、流出量に尿受け槽細径部１０８の内容積を加算することによって求められる。
すなわち、
総投入尿量＝流出量＋尿受け槽細径部１０８の内容積
である。
【００３７】
次に、尿排出制御バルブ駆動手段１４２は、尿排出制御バルブすなわちピンチバルブ１０２を開制御する（ステップ３１２）。そして、一定時間待つ（ステップ３１３）。次に、尿排出制御バルブ駆動手段１４２は、尿排出制御バルブすなわちピンチバルブ１０２を閉制御する（ステップ３１４）。それによって、尿は屈折率計１０３に導入される。次に、図２及び図５を参照すると、屈折率計１０３からの出力信号は尿比重値演算手段１６２に入力される（ステップ３１５）。温度センサ１１４からの出力信号は尿比重値演算手段１６２に入力される（ステップ３１６）。尿比重値演算手段１６２は、屈折率計１０３からの出力信号と、温度センサ１１４からの出力信号とに基づいて、予め記憶している屈折率、温度、比重の関係式を用いて尿の比重値を演算する（ステップ３１７）。ステップ３０７又はステップ３１１で演算された尿量を、ステップ３１７で演算された比重値を用いて補正する（ステップ３１８）。
【００３８】
分注ノズル駆動モータ１８２が動作して分注ノズル移動機構を作動させることによって、分注ノズル１８４は分注排出容器１８８の上部の位置に移動される（ステップ３１９）。尿採取制御バルブ駆動手段１４４は、尿採取制御バルブすなわちピンチバルブ１１０を開制御する（ステップ３２０）。圧力値演算手段１４６が圧力センサ１０７から出力信号を入力して、圧力センサ１０７が検出した圧力の値を演算する。圧力比較手段１５０は、圧力基準値記憶手段１４８が記憶している水頭値と尿量の関係と、圧力値演算手段１４６が出力する圧力値の演算結果とを比較し、尿受け槽細径部１０８の中の尿量から減った分の尿量が、所定の採取尿量に達するまで待つ（ステップ３２１）。
【００３９】
尿は、導管１０９、分注ノズル１８４、分注排出容器１８８、導管１３３を通って排液タンク１３２に導入され、排出口１３９に排出される。この尿によって、一部尿採取回路が共洗いされる。次に、図６及び図１０を参照すると、所定の尿量に達した後、尿採取制御バルブ駆動手段１４４は、尿採取制御バルブすなわちピンチバルブ１１０を閉制御する（ステップ３２２）。共洗い動作が終了すると、分注ノズル駆動モータが動作して分注ノズル移動機構を作動させることによって、分注ノズル１８４は採尿ボトル１１１の上部の位置に移動される（ステップ３２３）。尿採取制御バルブ駆動手段１４４は、尿採取制御バルブすなわちピンチバルブ１１０を開制御する（ステップ３２４）。圧力値演算手段１４６が圧力センサ１０７から出力信号を入力して、圧力センサ１０７が検出した圧力の値を演算する。圧力比較手段１５０は、圧力基準値記憶手段１４８が記憶している水頭値と尿量の関係と、圧力値演算手段１４６が出力する圧力値の演算結果とを比較し、尿受け槽細径部１０８の中の尿量から減った分の尿量が、所定の採取尿量に達するまで待つ（ステップ３２５）。
【００４０】
所定の尿量に達した後、尿採取制御バルブ駆動手段１４４は、尿採取制御バルブすなわちピンチバルブ１１０を閉制御する（ステップ３２６）。尿採取の動作が終了すると、分注ノズル駆動モータが動作して分注ノズル移動機構を作動させることによって、分注ノズル１８４は分注排出容器１８８の上部の位置に移動される（ステップ３２７）。次に、尿排出制御バルブ駆動手段１４２は、尿排出制御バルブすなわちピンチバルブ１０２を開制御し、尿採取制御バルブ駆動手段１４４は、尿採取制御バルブすなわちピンチバルブ１１０を開制御する（ステップ３２８）。
【００４１】
次に、図７及び図１０を参照すると、尿受け槽１０１、尿受け槽細径部１０８の中の尿を排液タンク１０４の中に排出する。圧力センサ１０７からの出力信号が無くなるまで待つ（ステップ３２９）。次に、電磁弁駆動手段１６４が電磁弁１１７を開いて、給水口２１４より給水される水道水で尿受け槽１０１を洗浄する（ステップ３３０）。洗浄中に、フロートスイッチ１１５が導通動作したかどうかを判定する（ステップ３３１）。フロートスイッチ１１５が導通動作した場合、電磁弁１１７をを閉制御する（ステップ３３２）。そして、フロートスイッチ１１５が切れるのを待つ（ステップ３３３）。それによって、採尿蓄量比重測定装置１００の内部に洗浄水が溢れるのを防いでいる。フロートスイッチ１１５が切れると、電磁弁駆動手段１６４は電磁弁１１７を開制御し、洗浄の続きを実行する（ステップ３３４）。所定時間の洗浄を行った後、電磁弁駆動手段１６４が電磁弁１１７を閉制御する（ステップ３３５）。それによって、尿の測定動作は終了する（ステップ３３６）。複数の患者を測定するとき、それぞれの患者について、上記の動作を同様に行うことができる。
【００４２】
本発明の採尿蓄量比重測定装置１００は、採尿蓄量比重測定装置１００が測定したデータを病院の情報システム（外部システム）に送信するための送信用インターフェースと、病院の情報システム（外部システム）からデータを受信するための受信用インターフェースとを備えている。送信用インターフェースは、データ記憶手段１５６に記憶されているデータをデータ入出力制御手段１５４の作動を介して出力するためのデータ出力手段１７２を含む。受信用インターフェースは、外部からデータを入力し、データ入出力制御手段１５４の作動を介してデータ記憶手段１５６に記憶させるためのデータ入力手段１７４を含む。
【００４３】
本発明の採尿蓄量比重測定装置１００は、操作ガイダンスの音声データを録音するための録音手段１７６を備える。この録音手段１７６が録音するデータは、例えば、患者の氏名などを含む。録音手段１７６が録音したデータをデータ記憶手段１５６に記憶するように構成してもよい。データ管理装置２００は、データ受信手段２０２と、データ送信手段２０４とを備える。データ出力手段１７２は、データ受信手段２０２にデータを送信することができるように構成される。データ入力手段１７４は、データ送信手段２０４からデータを受信することができるように構成される。病院の情報システムのデータ管理装置２００は、例えば、ナースステーションに配置することができる。本発明の採尿蓄量比重測定装置１００が送信するデータは、尿量、尿比重、患者の氏名、患者のＩＤ、測定の年月日及び又は日時、アラームデータ、各種の設定値（例えば、各種の係数、設定されている洗浄時刻、一部採取尿の設定の有無など）などである。本発明の採尿蓄量比重測定装置１００が受信するデータは、患者の氏名、患者のＩＤ、操作ガイダンスの音声データ、各種の設定値（例えば、各種の係数、設定されている洗浄時刻、一部採取尿の設定の有無など）などの患者に関する情報と、患者への指示などである。この場合、操作ガイダンスの音声データは、予め、ナースステーションに配置されたデータ管理装置２００に録音しておき、そのデータをデータ管理装置２００から採尿蓄量比重測定装置１００に送信するように構成することもできる。
【００４４】
採尿ボトル１１１に溜められる尿は、測定毎の尿量の定率を採取する場合もあれば、朝起きて最初の尿だけを溜める場合もあり、この指示は病院の情報システムのデータ管理装置２００から指示が送られてくる場合と、機器で直接設定する場合とがある。予め設定した時間が経過したとき、操作スイッチ１７０を操作したとき、データ管理装置２００から指示が入ったときなどにおいて、スピッツ１９４に分注することを指示したトリガ信号が中央演算装置１８０に入ると、中央演算装置１８０は、１番スピッツポンプ１９０ａ、２番スピッツポンプ１９０ｂ、３番スピッツポンプ１９０ｃ、４番スピッツポンプ１９０ｄ、５番スピッツポンプ１９０ｅ、スピッツノズル駆動モータ１９２の作動を制御し、採尿ボトル１１１に溜まった尿をそれぞれのスピッツ１９０に分注する。
【００４５】
更に、中央演算装置１８０はバーコードプリンタ２４４の作動を制御して、１番スピッツ１９４ａ、２番スピッツ１９４ｂ、３番スピッツ１９４ｃ、４番スピッツ１９４ｄ、５番スピッツ１９４ｅにそれぞれ採取された患者ＩＤ、患者氏名、蓄尿の種類、防腐剤の有無、蓄尿日時などの尿の素性に関するデータを、バーコードプリンタ２４４によってバーコードラベルに印刷して出力する。複数の患者を測定するとき、それぞれの患者について、１枚ずつバーコードラベルが出力される。バーコードラベルには、尿の素性に関するデータが文字により印刷され、同時に、バーコードによって印刷される。バーコードは、一次元バーコードであってもよいし、二次元バーコードであってもよいし、他のタイプのバーコードであってもよい。看護師は、それぞれのバーコードラベルをそれぞれ対応するスピッツ１９０に貼り付け、尿をスピッツ１９０に入れた状態で検査室に送ることができる。例えば、看護師は、１番目の測定に対応する患者ＩＤが記載されているバーコードラベルを１番スピッツ１９４ａに貼り付け、２番目の測定に対応する患者ＩＤが記載されているバーコードラベルを２番スピッツ１９４ｂに貼り付け、３番目の測定に対応する患者ＩＤが記載されているバーコードラベルを３番スピッツ１９４ｃに貼り付け、４番目の測定に対応する患者ＩＤが記載されているバーコードラベルを４番スピッツ１９４ｄに貼り付け、５番目の測定に対応する患者ＩＤが記載されているバーコードラベルを５番スピッツ１９４ｅに貼り付ける。このようにすることにより、採取尿の取り違えを効果的に低減することができる。
【産業上の利用可能性】
【００４６】
本発明の採尿蓄量比重測定装置は病院などの医療施設において使用することができる。この採尿蓄量比重測定装置を用いることによって、採取尿の取り違えを低減することができ、医療事故を未然に防ぐことができる。
【図面の簡単な説明】
【００４７】
【図１】本発明の採尿蓄量比重測定装置の実施の形態において、採尿蓄量比重測定装置の全体構造を示す概略部分断面図である。
【図２】本発明の採尿蓄量比重測定装置の実施の形態において、採尿蓄量比重測定装置装置の全体構成を示すブロック図である。
【図３】本発明の採尿蓄量比重測定装置の実施の形態において、採尿蓄量比重測定装置の作動を示すフローチャートの第１の部分を示す図である。
【図４】本発明の採尿蓄量比重測定装置の実施の形態において、採尿蓄量比重測定装置の作動を示すフローチャートの第２の部分を示す図である。
【図５】本発明の採尿蓄量比重測定装置の実施の形態において、採尿蓄量比重測定装置の作動を示すフローチャートの第３の部分を示す図である。
【図６】本発明の採尿蓄量比重測定装置の実施の形態において、採尿蓄量比重測定装置の作動を示すフローチャートの第４の部分を示す図である。
【図７】本発明の採尿蓄量比重測定装置の実施の形態において、採尿蓄量比重測定装置の作動を示すフローチャートの第５の部分を示す図である。
【図８】本発明の採尿蓄量比重測定装置の実施の形態において、採尿蓄量比重測定装置が作動するとき、圧力センサからの信号がスレッシュホールド電圧より低いときの信号を示す図である。
【図９】本発明の採尿蓄量比重測定装置の実施の形態において、採尿蓄量比重測定装置が作動するとき、圧力センサからの信号がスレッシュホールド電圧より高いときの信号を示す図である。
【図１０】本発明の採尿蓄量比重測定装置の実施の形態において、採尿蓄量比重測定装置の代表的な構成を示す概略ブロック図である。
【符号の説明】
【００４８】
１００  採尿蓄量比重測定装置
１０１  尿受け槽
１０７  圧力センサ
１０８  尿受け槽細径部
１１０  ピンチバルブ
１１１  採尿ボトル
１１４  温度センサ
１１５  フロートスイッチ
１１６  傘状整流器
１１７  電磁弁
１３６  空気貯まり用パイプ
１４０  作動制御手段
１４２  尿排出制御バルブ駆動手段
１４４  尿採取制御バルブ駆動手段
１４６  圧力値演算手段
１４８  圧力基準値記憶手段
１５０  圧力比較手段
１５２  尿量演算手段
１５４  データ入出力制御手段
１５６  データ記憶手段
１６０  圧力センサ出力信号計時手段
１６２  尿比重値演算手段
１６４  電磁弁駆動手段
１７０  操作スイッチ
１８０  中央演算装置
２００  データ管理装置
２４２  バーコードプリンタ制御手段
２４４  バーコードプリンタ
【図１】
2006038736.tif 000003
【図２】
2006038736.tif 000004
【図３】
2006038736.tif 000005
【図４】
2006038736.tif 000006
【図５】
2006038736.tif 000007
【図６】
2006038736.tif 000008
【図７】
2006038736.tif 000009
【図８】
2006038736.tif 000010
【図９】
2006038736.tif 000011
【図１０】
2006038736.tif 000012